(57)【要約】空気調和機は、容量制御可能な圧縮機を搭載したマルチ式システム専用の室外ユニットと、室外ユニットに接続した冷媒流量制御ユニットと、冷媒流量制御ユニットと接続した単一または複数の１対１システム専用の室内ユニットから構成され、室外ユニットと室内ユニットは絞り装置を持たず、冷媒流量制御ユニットは、各室内ユニットに対応する通信手段と各室内ユニットに対応する絞り装置とを備え、各室内ユニットの運転情報を収集し、絞り装置を調整することによって、各室内ユニットへ適切な冷媒流量を分配することを制御し、また、室外ユニットに対応する通信手段を備え、各室内ユニットに必要な冷媒流量を供給するための室外ユニットの圧縮機運転周波数を制御する。
2003052326.tif 000002
【特許請求の範囲】
【請求項１】
少なくとも一つの室内ユニットと、
上記室内ユニットへ供給する冷媒流量を制御する室外ユニットと、
上記室外ユニットと上記室内ユニットとを制御する冷媒流量制御ユニットと
を備え、
上記冷媒流量制御ユニットは、
上記室内ユニットと情報を通信する室内用通信部と、
上記室外ユニットと情報を通信する室外用通信部と、
上記室内ユニットへ供給する冷媒流量を調整する少なくとも一つの絞り装置と、
上記室内用通信部を介して、上記室内ユニットの運転状況を取得し、取得した運転状況に基づいて、上記室内ユニットへ供給する冷媒流量に関する冷媒流量情報を生成し、上記冷媒流量情報に基づいて、上記絞り装置を制御し、上記室外用通信部を介して、上記冷媒流量情報を上記室外ユニットへ通知する冷媒流量制御部と
を有し、
上記室外ユニットは、上記冷媒流量情報に基づいて、冷媒流量を制御することを特徴とする空気調和機。
【請求項２】
上記室外ユニットは、一つの室外ユニットに複数の室内ユニットが対応するマルチ式システムに用いられるものであり、
上記室内ユニットは、一つの室外ユニットに一つの室内ユニットが対応する一対一システムに用いられるものであることを特徴とする請求項１記載の空気調和機。
【請求項３】
上記室外ユニットは、上記マルチ式システムに対応する室外通信部を備え、
上記室内ユニットは、上記一対一システムに対応する室内通信部を備え、
上記室外用通信部は、上記室外通信部に対応する通信手順を有し、
上記室内用通信部は、上記室内通信部に対応する通信手順を有することを特徴とする請求項２記載の空気調和機。
【請求項４】
上記空気調和機は、
複数の室内ユニットと、
上記複数の室内ユニットにそれぞれに対応する複数の絞り装置とを有し、
上記冷媒流量制御ユニットは、上記室内用通信部を介して、上記複数の室内ユニットそれぞれの運転状況を取得し、取得した複数の運転状況に基づいて、上記複数の室内ユニットそれぞれへ分配する冷媒流量を決定し、決定した冷媒流量を用いて、上記複数の絞り装置を制御することを特徴とする請求項１記載の空気調和機。
【請求項５】
上記室外ユニットは、第一の通信方式を用いる第一方式通信部を備え、
上記室内ユニットは、上記第一の通信方式とは異なる第二の通信方式を用いる第二方式通信部を備え、
上記室外用通信部は、上記第一方式通信部に対応する通信手順を有し、
上記室内用通信部は、上記第二方式通信部に対応する通信手順を有することを特徴とする請求項１記載の空気調和機。
【請求項６】
冷媒流量を制御する圧縮機を搭載した室外ユニットと、
上記室外ユニットへ接続する複数の冷媒流量制御ユニットと、
上記複数の冷媒流量制御ユニットのいずれかへ接続する複数の室内ユニットとを備え、
上記室外ユニットは、上記複数の冷媒流量制御ユニットを介して、上記複数の室内ユニットの運転情報を取得し、取得した運転情報に基づいて、上記圧縮機を制御し、上記複数の冷媒流量制御ユニットへ供給する冷媒流量の分配情報を生成し、上記分配情報を上記複数の冷媒流量制御ユニットへ通知し、
上記複数の冷媒流量制御ユニットは、
上記複数の室内ユニットへ供給する冷媒流量を調整する複数の絞り装置と、
上記室外ユニットから上記分配情報を受け取り、上記分配情報に基づいて、上記複数の絞り装置を制御する冷媒流量分配部とを有することを特徴とする空気調和機。
【請求項７】
上記室外ユニットは、マルチ式システムに対応する室外通信部を備え、
上記複数の室内ユニットは、一対一システムに対応する複数の室内通信部を備え、
上記複数の冷媒流量制御ユニットは、
上記室外通信部との通信に対応する通信手順を有する少なくとも一つの室外用通信部と、
上記複数の室内通信部との通信に対応する通信手順を有する少なくとも一つの室内用通信部とを備えることを特徴とする請求項６記載の空気調和機。
【発明の詳細な説明】
技術分野
本発明は、室外ユニットおよび冷媒流量制御ユニットおよび単一または複数の室内ユニットからなる空気調和機に関する。
背景技術
従来の室外ユニットと単一または複数の室内ユニットのみで構成される空気調和機は、室外ユニットまたは単一または複数の室内ユニットに絞り装置を備え、絞り装置によって冷媒流量を制御していた。あるいは、室外ユニットと、上記室外ユニットに接続した冷媒流量制御ユニットと、上記冷媒流量制御ユニットに接続した単一または複数の室内ユニットによって構成されるマルチ式空気調和機においても、室外ユニットと室内ユニットとは、マルチ式システムに適応した専用ユニットで構成されていた。
従来のマルチ式空気調和機は、専用室外ユニットと専用室内ユニットと、システムによっては専用の冷媒流量制御ユニットにより構成され、高価なシステムになっていた。このため、室外ユニットと室内ユニットとが１対１に対応する１対１システム専用の室内ユニットをマルチ式空気調和機へ使用することは困難であった。本発明では、マルチ式空気調和機へ既存の１対１システム専用の室内ユニットを使用することで、安価な空気調和機を実現する。
例えば、家庭用空気調和機と大型の業務用空気調和機との開発部門が異なる場合、過去からの開発の流れ等により、通信方式が異なる場合がある。一般に大型の業務用空気調和機に比べ、家庭用空気調和機は安価である。そこで、絞り装置を持たない大型の業務用空気調和機の室外ユニットと冷媒流量制御ユニットを接続し、上記冷媒流量制御ユニットに単一または複数の絞り装置を持たない家庭用空気調和機の室内ユニットを接続したマルチ式空気調和機を構成した場合、その冷媒流量制御ユニットに、大型の業務用空気調和機の室外ユニットとの通信手段と家庭用空気調和機の室内ユニットとの通信手段を併せ持つことにより、安価なマルチ式空気調和機を実現する。
発明の開示
この発明に係る空気調和機は、少なくとも一つの室内ユニットと、
上記室内ユニットへ供給する冷媒流量を制御する室外ユニットと、
上記室外ユニットと上記室内ユニットとを制御する冷媒流量制御ユニットと
を備え、
上記冷媒流量制御ユニットは、
上記室内ユニットと情報を通信する室内用通信部と、
上記室外ユニットと情報を通信する室外用通信部と、
上記室内ユニットへ供給する冷媒流量を調整する少なくとも一つの絞り装置と、
上記室内用通信部を介して、上記室内ユニットの運転状況を取得し、取得した運転状況に基づいて、上記室内ユニットへ供給する冷媒流量に関する冷媒流量情報を生成し、上記冷媒流量情報に基づいて、上記絞り装置を制御し、上記室外用通信部を介して、上記冷媒流量情報を上記室外ユニットへ通知する冷媒流量制御部と
を有し、
上記室外ユニットは、上記冷媒流量情報に基づいて、冷媒流量を制御することを特徴とする。
上記室外ユニットは、一つの室外ユニットに複数の室内ユニットが対応するマルチ式システムに用いられるものであり、
上記室内ユニットは、一つの室外ユニットに一つの室内ユニットが対応する一対一システムに用いられるものであることを特徴とする。
上記室外ユニットは、上記マルチ式システムに対応する室外通信部を備え、
上記室内ユニットは、上記一対一システムに対応する室内通信部を備え、
上記室外用通信部は、上記室外通信部に対応する通信手順を有し、
上記室内用通信部は、上記室内通信部に対応する通信手順を有することを特徴とする。
上記空気調和機は、
複数の室内ユニットと、
上記複数の室内ユニットにそれぞれに対応する複数の絞り装置とを有し、
上記冷媒流量制御ユニットは、上記室内用通信部を介して、上記複数の室内ユニットそれぞれの運転状況を取得し、取得した複数の運転状況に基づいて、上記複数の室内ユニットそれぞれへ分配する冷媒流量を決定し、決定した冷媒流量を用いて、上記複数の絞り装置を制御することを特徴とする。
上記室外ユニットは、第一の通信方式を用いる第一方式通信部を備え、
上記室内ユニットは、上記第一の通信方式とは異なる第二の通信方式を用いる第二方式通信部を備え、
上記室外用通信部は、上記第一方式通信部に対応する通信手順を有し、
上記室内用通信部は、上記第二方式通信部に対応する通信手順を有することを特徴とする。
この発明に係る空気調和機は、冷媒流量を制御する圧縮機を搭載した室外ユニットと、
上記室外ユニットへ接続する複数の冷媒流量制御ユニットと、
上記複数の冷媒流量制御ユニットのいずれかへ接続する複数の室内ユニットとを備え、
上記室外ユニットは、上記複数の冷媒流量制御ユニットを介して、上記複数の室内ユニットの運転情報を取得し、取得した運転情報に基づいて、上記圧縮機を制御し、上記複数の冷媒流量制御ユニットへ供給する冷媒流量の分配情報を生成し、上記分配情報を上記複数の冷媒流量制御ユニットへ通知し、
上記複数の冷媒流量制御ユニットは、
上記複数の室内ユニットへ供給する冷媒流量を調整する複数の絞り装置と、
上記室外ユニットから上記分配情報を受け取り、上記分配情報に基づいて、上記複数の絞り装置を制御する冷媒流量分配部とを有することを特徴とする。
上記室外ユニットは、マルチ式システムに対応する室外通信部を備え、
上記複数の室内ユニットは、一対一システムに対応する複数の室内通信部を備え、
上記複数の冷媒流量制御ユニットは、
上記室外通信部との通信に対応する通信手順を有する少なくとも一つの室外用通信部と、
上記複数の室内通信部との通信に対応する通信手順を有する少なくとも一つの室内用通信部とを備えることを特徴とする。
発明を実施するための最良の形態
実施の形態１．
図１は、実施の形態１における空気調和機のシステム構成の一例を簡易的に表す。
図１において、Ａはマルチ式システム専用の室外ユニット、Ｂは冷媒流量制御ユニット、Ｃ１，Ｃ２，Ｃ３は１対１システム専用の室内ユニットである。また、１は室内ユニットへ供給する冷媒の容量制御可能な圧縮機、２は室外側熱交換器、３は四方弁、１１，１２，１３は絞り装置である。圧縮機１は、運転周波数を制御することによって冷媒流量を制御する。絞り装置１１，１２，１３は、室内ユニットへ供給する冷媒流量を調整する。
なお、この明細書において、マルチ式システムは、１つの室外ユニットに対して複数の室内ユニットが対応するシステムであり、１対１システムは、１つの室外ユニットに対して１つの室内ユニットが１対１に対応するシステムをいう。
室外ユニットＡおよび室内ユニットＣ１，Ｃ２，Ｃ３は絞り装置を持たず、冷媒流量制御ユニットＢ内に備えられた絞り装置によって、各室内ユニットＣ１，Ｃ２，Ｃ３へ分配する冷媒流量を制御する。
図２は、実施の形態１におけるマルチ式空気調和機の制御構成の一例を表す。
図２において、Ａはマルチ式システム専用の室外ユニット、Ｂは冷媒流量制御ユニット、Ｃ１，Ｃ２，Ｃ３は１対１システム専用の室内ユニット、Ｄは室外ユニットと冷媒流量制御ユニットとの通信、Ｅ１，Ｅ２，Ｅ３は室内ユニットと冷媒流量制御ユニットとの通信である。また、１は圧縮機、４は室外ユニットの通信手段である室外通信部、５は室外ユニットの圧縮機等を制御する室外制御部、１１，１２，１３は絞り装置、２１は室内ユニットの運転情報を元に室外ユニットの圧縮機運転周波数や各室内ユニットへ供給する冷媒流量を制御する冷媒流量制御部、２２は冷媒流量制御ユニットが室外ユニットと情報を通信する室外用通信部、３１，３２，３３は冷媒流量制御ユニットが室内ユニットと情報を通信する室内用通信部、４１，５１，６１は室内ユニットを制御する室内制御部、４２，５２，６２は室内ユニットの通信手段である室内通信部である。
各室内ユニットＣ１，Ｃ２，Ｃ３の運転情報は、室内制御部４１，５１，６１によって収集され、室内ユニットの室内通信部４２，５２，６２と冷媒流量制御ユニットの室内用通信部３１，３２，３３との通信Ｅ１，Ｅ２，Ｅ３により冷媒流量制御ユニットＢに伝えられる。
また、前記通信Ｅ１，Ｅ２，Ｅ３により得た各室内ユニットＣ１，Ｃ２，Ｃ３の運転情報を元に、室内冷媒流量制御ユニットＢの冷媒流量制御部２１は、室外ユニットＡの圧縮機１の目標運転周波数および絞り装置１１，１２，１３の目標開度を決定する。
また、前記で決定した絞り装置１１，１２，１３の目標開度を元に、冷媒流量制御部２１は、冷媒流量の分配を制御する。
また、前記で決定した圧縮機１の目標運転周波数は、冷媒流量制御ユニットＢの室外用通信部２２と室外ユニットの室外通信部４との通信Ｄにより、室外ユニットＡに伝えられる。
また、前記通信Ｄにより得た圧縮機１の目標運転周波数を元に、室外ユニットの室外制御部５は、圧縮機１の運転周波数を制御する。
図２において、冷媒流量制御ユニット側の室外用通信部２２および室内用通信部３１，３２，３３が、各々独立している。このため、室外ユニットＡと冷媒流量制御ユニットＢとの通信Ｄがマルチ式システム専用の通信手段であり、また、室内ユニットＣ１，Ｃ２，Ｃ３と冷媒流量制御ユニットＢとの通信Ｅ１，Ｅ２，Ｅ３が１対１システム専用の通信手段といった異なる通信手段の場合でも、システム構成を可能とする。
以上のように、この実施の形態の空気調和機は、容量制御可能な圧縮機を搭載したマルチ式システム専用の室外ユニットと、前記室外ユニットに接続した冷媒流量制御ユニットと、前記冷媒流量制御ユニットと接続した単一または複数の１対１システム専用の室内ユニットから構成され、前記室外ユニットと室内ユニットには絞り装置を持たず、前記冷媒流量制御ユニットは、各室内ユニットに対応する通信手段と各室内ユニットに対応する絞り装置とを備え、各室内ユニットの運転情報を収集し、各室内ユニットへの適切な冷媒流量を分配することを制御し、また、室外ユニットとの通信手段を備え、全室内ユニットに必要な冷媒流量を供給するための室外ユニットの圧縮機運転周波数を制御することを特徴とする。
また、この実施の形態の空気調和機は、前記室外ユニットはマルチ式システム専用の通信手段を備え、前記各室内ユニットは１対１システム専用の通信手段を備え、前記冷媒制御ユニットには、室外ユニットとの通信に対応したマルチ式システム専用の通信手段と、各室内ユニットとの通信に対応した１対１システム専用の通信手段の、異なる通信手段を備えたことを特徴とする。
実施の形態２．
図３は、実施の形態２における空気調和機のシステム構成の一例を簡易的に表す。
図３において、Ａはマルチ式システム専用の室外ユニット、Ｂａ，Ｂｂは冷媒流量制御ユニット、Ｃ１ａ，Ｃ２ａ，Ｃ３ａ，Ｃ１ｂ、Ｃ２ｂ，Ｃ３ｂは１対１システム専用の室内ユニット、１は室内ユニットへ供給する冷媒の容量制御可能な圧縮機、２は室外側熱交換器、３は四方弁、１１ａ，１２ａ，１３ａ，１１ｂ，１２ｂ，１３ｂは絞り装置である。
室外ユニットＡおよび室内ユニットＣ１ａ，Ｃ２ａ，Ｃ３ａ，Ｃ１ｂ、Ｃ２ｂ，Ｃ３ｂは絞り装置を持たず、冷媒流量制御ユニットＢａ，Ｂｂに備えられた絞り装置によって、各室内ユニットＣ１ａ，Ｃ２ａ，Ｃ３ａ，Ｃ１ｂ、Ｃ２ｂ，Ｃ３ｂへ分配する冷媒流量を制御する。
図４は、実施の形態２における空気調和機の制御構成の一例を表す。
図４において、Ａはマルチ式システム専用の室外ユニット、Ｂａ，Ｂｂは冷媒流量制御ユニット、Ｃ１ａ，Ｃ２ａ，Ｃ３ａ，Ｃ１ｂ，Ｃ２ｂ，Ｃ３ｂは１対１システム専用の室内ユニット、Ｄは室外ユニットと冷媒流量制御ユニットとの通信、Ｅ１ａ，Ｅ２ａ，Ｅ３ａ，Ｅ１ｂ，Ｅ２ｂ，Ｅ３ｂは室内ユニットと冷媒流量制御ユニットとの通信である。また、１は圧縮機、４は室外ユニットの通信手段である室外通信部、５は室外ユニットの圧縮機等を制御する室外制御部、６は室内運転情報を元に室外ユニットの圧縮機運転周波数や各室内ユニットへ供給する冷媒流量を制御する冷媒流量制御部、１１ａ，１２ａ，１３ａ，１１ｂ，１２ｂ，１３ｂは絞り装置、２３ａ，２３ｂは冷媒流量分配部、２２ａ，２２ｂは冷媒流量制御ユニットが室外ユニットと情報を通信する室外通信部、３１ａ，３２ａ，３３ａ，３１ｂ，３２ｂ，３３ｂは冷媒流量制御ユニットが室内ユニットと情報を通信する室内通信部、４１ａ，５１ａ，６１ａ，４１ｂ，５１ｂ，６１ｂは室内ユニットを制御する室内制御部、４２ａ，５２ａ，６２ａ，４２ｂ，５２ｂ，６２ｂは室内ユニットの通信手段である室内通信部である。
各室内ユニットＣ１ａ，Ｃ２ａ，Ｃ３ａ，Ｃ１ｂ，Ｃ２ｂ，Ｃ３ｂの運転情報は、室内制御部４１ａ，５１ａ，６１ａ，４１ｂ，５１ｂ，６１ｂによって収集され、室内ユニットの室内通信部４２ａ，５２ａ，６２ａ，４２ｂ，５２ｂ，６２ｂと冷媒流量制御ユニットＢａ，Ｂｂの室内用通信部３１ａ，３２ａ，３３ａ，３１ｂ，３２ｂ，３３ｂとの通信Ｅ１ａ，Ｅ２ａ，Ｅ３ａ，Ｅ１ｂ，Ｅ２ｂ，Ｅ３ｂにより各冷媒流量制御ユニットＢａ，Ｂｂに伝えられる。
また、前記通信通信Ｅ１ａ，Ｅ２ａ，Ｅ３ａ，Ｅ１ｂ，Ｅ２ｂ，Ｅ３ｂにより得た各室内ユニットＣ１ａ，Ｃ２ａ，Ｃ３ａ，Ｃ１ｂ，Ｃ２ｂ，Ｃ３ｂの運転情報は、冷媒流量制御ユニットＢａ，Ｂｂの室外用通信部２２ａ，２２ｂと室外ユニットの室外通信部４との通信Ｄにより、室外ユニットＡに伝えられる。
また、前記通信Ｄにより得た各室内ユニットＣ１ａ，Ｃ２ａ，Ｃ３ａ，Ｃ１ｂ，Ｃ２ｂ，Ｃ３ｂの運転情報を元に、室外ユニットＡの冷媒流量制御部６は、圧縮機１の目標運転周波数および冷媒流量制御ユニットＢａ，Ｂｂそれぞれへの冷媒流量の目標分配量を決定する。
また、前記で決定した圧縮機１の目標運転周波数を元に、室外ユニットの室外制御部５は、圧縮機１の運転周波数を制御する。
また、前記で決定した冷媒流量制御ユニットＢａ，Ｂｂそれぞれへ供給する冷媒流量の目標分配量は、室外ユニットの室外通信部４と各冷媒流量制御ユニットＢａ，Ｂｂの室外用通信部２２ａ，２２ｂとの通信Ｄにより、各冷媒流量制御ユニットＢａ，Ｂｂに伝えられる。
また、前記通信Ｄにより得た冷媒流量制御ユニットＢａ，Ｂｂそれぞれへ供給する冷媒流量の目標分配量を元に、冷媒流量分配部２３ａ，２３ｂは、各絞り装置１１ａ，１２ａ，１３ａ，１１ｂ，１２ｂ，１３ｂは目標開度を決定して、冷媒流量の分配を制御する。
なお、目標開度は、上記のように、冷媒流量分配部２３ａ，２３ｂが決定してもよいし、冷媒流量制御部６が決定し、通信Ｄによって各冷媒流量制御ユニットＢａ，Ｂｂへ伝えてもよい。
図４において、冷媒流量制御ユニット側の室外用通信部２２ａ，２２ｂおよび室内用通信部３１ａ，３２ａ，３３ａ，３１ｂ，３２ｂ，３３ｂが、各々独立している。このため、室外ユニットＡと冷媒流量制御ユニットＢａ，Ｂｂとの通信Ｄがマルチ式システム専用の通信手段であり、また、室内ユニットＣ１ａ，Ｃ２ａ，Ｃ３ａ，Ｃ１ｂ，Ｃ２ｂ，Ｃ３ｂと冷媒流量制御ユニットＢａ，ＢｂとのＥ１ａ，Ｅ２ａ，Ｅ３ａ，Ｅ１ｂ，Ｅ２ｂ，Ｅ３ｂが１対１システム専用の通信手段といった異なる通信手段の場合でも、システム構成を可能とする。
以上のように、この実施の形態の空気調和機は、容量制御可能な圧縮機を搭載したマルチ式システム専用の室外ユニットと、前記室外ユニットに接続した複数の冷媒流量制御ユニットと、前記各冷媒流量制御ユニットと接続した単一または複数の１対１システム専用の室内ユニットから構成され、前記室外ユニットと室内ユニットには絞り装置を持たず、前記各冷媒流量制御ユニットは、接続している各室内ユニットの運転情報を室外ユニットに伝達し、また、前記室外ユニットは、各冷媒流量制御ユニットから受取った各室内ユニットの運転情報に合わせて圧縮機の運転周波数を制御し、かつ、各冷媒流量制御ユニットに各々の要求する空調能力に対応する冷媒分配量を伝達し、各冷媒流量制御ユニットは、室外ユニットから受取った冷媒分配量をさらに接続している室内ユニットごとに分配制御することを特徴とする。
実施の形態３．
図５は、実施の形態３の空気調和機の制御構成の一例を表す。システム構成を簡易的に表す図は、実施の形態２の図３と同様である。
冷媒流量制御部２１は、室内ユニットから運転情報を取得し、取得した運転情報に基づいて、圧縮機１の目標運転周波数及び冷媒流量制御ユニットＢａ，Ｂｂそれぞれへの冷媒流量の目標分配量を決定する。上記目標運転周波数は、通信Ｄにより、室外ユニットＡへ伝えられる。絞り装置１１ａ，１２ａ，１３ａ，１１ｂ，１２ｂ，１３ｂそれぞれの目標開度は、冷媒流量制御部２１が決定してもよいし、あるいは、冷媒流量分配部２３ａ，２３ｂが決定してもよい。
上記以外の図３の各構成要素は、実施の形態２で説明したものと同様であるため、説明を省略する。
実施の形態４．
上記実施の形態１から実施の形態３では、空気調和機は、マルチ式システム専用の室外ユニットと、１対１システム専用の室内ユニットとを備える場合を説明したが、これらに限られるわけではない。
空気調和機は、１対１専用の室外ユニットと、マルチ式システム専用の室内ユニットとを備える場合であってもかまわない。
また、この発明の空気調和機は、室外ユニットと室内ユニットとのそれぞれが用いる通信方式が異なる場合に適用できることが特徴の一つである。従って、第一の通信方式と、上記第一の通信方式とは異なる通信手順を用いる第二の通信方式とがある場合を前提とすると、空気調和機は、第一の通信方式を用いる室外ユニットと、第二の通信方式を用いる室内ユニットとを備え、冷媒流量制御ユニットの室外用通信部は、上記第一の通信方式に対応する通信手順を有し、冷媒流量制御ユニットの室内用通信部は、上記第二の通信方式に対応する通信手順を有することを特徴の一つとする。従って、冷媒流量制御ユニットは、室内通信部、室外通信部との双方との通信が可能となる。さらに、冷媒流量制御ユニットは、室内ユニットに対応する絞り装置を備え、絞り装置によって、室内ユニットに分配される冷媒流量を制御することを一つの特徴とする。
産業上の利用可能性
本発明の好適な実施の形態によれば、容量制御可能な圧縮機を搭載したマルチ式システム専用の室外ユニットと、前記室外ユニットに接続した冷媒流量制御ユニットと、前記冷媒流量制御ユニットと接続した少なくとも１つの室内ユニットからなる空気調和機において、前記室内ユニットに既存の１対１システム専用の室内ユニットを使用することが可能となり、安価なマルチ式の空気調和機を提供することが可能となる。
また、空気調和機において、室外ユニットはマルチ式システム専用の通信手段を備え、各室内ユニットは１対１システム専用の通信手段を備えたものであっても、冷媒流量制御ユニットに、室外ユニットとの通信に対応したマルチ式システム専用の通信手段と、各室内ユニットとの通信に対応した１対１システム専用の通信手段との、異なる２つの通信手段を備えることで安価なシステム構成を可能とした。
【図面の簡単な説明】
図１は、実施の形態１におけるマルチ式空気調和機のシステム構成の一例を簡易的に表すものである。
図２は、実施の形態１におけるマルチ式空気調和機の制御構成の一例を表すものである。
図３は、実施の形態２および３におけるマルチ式空気調和機のシステム構成を簡易的に表すものである。
図４は、実施の形態２におけるマルチ式空気調和機の制御構成の一例を表すものである。
図５は、実施の形態３におけるマルチ式空気調和機の制御構成の一例を表すものである。
【図１】
2003052326.tif 000003
【図２】
2003052326.tif 000004
【図３】
2003052326.tif 000005
【図４】
2003052326.tif 000006
【図５】
2003052326.tif 000007
【国際調査報告】
2003052326.tif 000008
2003052326.tif 000009